(57)【要約】【課題】装置を大型化させることなく、サイズを問わず用紙束の圧着綴じ動作による生産性の低下を有効に改善できる後処理装置を提供する。【解決手段】画像形成装置に搭載された後処理装置のハードウェア上の機能として構成される綴じ制御部の各部について、画像処理手段４０１は、印刷要求管理手段４００からの１部毎の印刷枚数情報に基づいて用紙束の複数部の境目となる最初のページ、最終のページの少なくとも一方の用紙面の圧着綴じ箇所にトナー画像を形成する。綴じ枚数制御手段４０２は、綴じ具による圧着綴じで一度に纏めて綴じる用紙束の部数に係る用紙綴じ枚数を１部毎の印刷枚数情報及び装置の綴じ可能枚数情報に基づいて判断する。圧着綴じ制御手段４０３は、搬送制御手段４０４を介して綴じ動作要求に応じてトナー画像が形成された用紙束の複数部を用紙綴じ枚数に従って纏めて一度に綴じ具で圧着綴じを行わせ、トナー画像箇所で分離可能とする。【選択図】図５
2015168131.tif 000002
【特許請求の範囲】
【請求項１】
用紙が所定枚数重ねられた用紙束を凹凸歯型構造の針無しタイプの綴じ具で挟持して押し付け、圧着するようにして綴じ動作を行う後処理装置において、
前記用紙束の複数部の境目となる最初のページ、最終のページの少なくとも一方の用紙面の圧着綴じ箇所に対して画像処理でトナー画像を形成する画像処理手段と、前記綴じ具による前記圧着綴じで一度に纏めて綴じる前記用紙束の部数に係る用紙綴じ枚数を判断する綴じ枚数制御手段と、前記トナー画像が形成された前記用紙束の複数部を前記用紙綴じ枚数に従って纏めて一度に前記綴じ具で圧着綴じを行わせ、当該纏めて圧着綴じした当該用紙束の複数部を当該トナー画像箇所で所定枚数の用紙による所定部数の用紙束として分離可能とする圧着綴じ制御手段と、を備えたことを特徴とする後処理装置。
【請求項２】
請求項１記載の後処理装置において、前記綴じ枚数制御手段は、前記圧着綴じ制御手段の制御により前記綴じ具で前記用紙束の複数部を纏めて一度に圧着綴じした状態で異常が発生した場合、当該異常発生時点の圧着部数を一度に綴じる前記用紙束の部数として判断することを特徴とする後処理装置。
【請求項３】
請求項１記載の後処理装置において、前記トナー画像は黄色基調であることを特徴とする後処理装置。
【請求項４】
請求項１記載の後処理装置において、前記トナー画像は不可視色基調であることを特徴とする後処理装置。
【請求項５】
請求項１記載の後処理装置において、前記トナー画像はユーザインターフェースによりユーザが色選択した任意色基調であることを特徴とする後処理装置。
【請求項６】
請求項１記載の後処理装置において、前記トナー画像はトナー残量検出手段により検出されたトナー残量の最も多い色基調であることを特徴とする後処理装置。
【請求項７】
請求項１記載の後処理装置において、前記トナー画像は前記圧着綴じ制御手段による前記用紙束の複数部の圧着綴じ後の分離を必要としない最初のページ、最終のページの用紙面に形成しないことを特徴とする後処理装置。
【請求項８】
請求項１〜７の何れか１項記載の後処理装置と、用紙面に画像を形成する画像形成装置と、により構成されたことを特徴とする画像形成システム。
【請求項９】
用紙が所定枚数重ねられた用紙束を凹凸歯型構造の針無しタイプの綴じ具で挟持して押し付け、圧着するようにして綴じ動作を行う後処理装置用圧着綴じ方法において、
画像処理手段により、前記用紙束の複数部の境目となる最初のページ、最終のページの少なくとも一方の用紙面の圧着綴じ箇所に対して画像処理でトナー画像を形成する画像処理ステップと、綴じ枚数制御手段により、前記綴じ具による前記圧着綴じで一度に纏めて綴じる前記用紙束の部数に係る用紙綴じ枚数を判断する綴じ枚数制御ステップと、圧着綴じ制御手段により、前記トナー画像が形成された前記用紙束の複数部を前記綴じ枚数制御ステップでの前記用紙綴じ枚数に従って纏めて一度に前記綴じ具で圧着綴じを行わせ、当該纏めて圧着綴じした当該用紙束の複数部を当該トナー画像箇所で所定枚数の用紙による所定部数の用紙束として分離可能とする圧着綴じ制御ステップと、を有することを特徴とする後処理装置用圧着綴じ方法。
【発明の詳細な説明】
【技術分野】
【０００１】
本発明は、用紙が所定枚数重ねられた用紙束（シート束）を凹凸歯型構造の針無しタイプの綴じ具で挟持して押し付け、圧着するようにして綴じ動作を行う後処理装置及び画像形成システム、並びに後処理装置用圧着綴じ方法に関する。
【背景技術】
【０００２】
従来、用紙に対して画像を形成する画像形成装置に対して一体又は別体で設けられる後処理装置に搭載される圧着綴じ装置（綴じ具）には、用紙が所定枚数重ねられた用紙束を凹凸歯型構造のステイプラで挟持して押し付け、用紙束を圧着するようにして綴じ動作を行うことにより、金属針を用いずに用紙束を綴じる針無しタイプの構成のものが開発されている。
【０００３】
ところで、既存の圧着綴じ装置では、圧着綴じ動作中に新たな用紙を装置内に受け入れることができないため、１部毎に用紙の出力間隔を空ける必要があるため、綴じ動作を含む印刷動作は単純に連続的に印刷動作を行う場合の印刷時間と比べると、綴じ動作の総数分、生産性が低下してしまう。
【０００４】
そこで、生産性を高めるために隣接する用紙束については交互に異なる姿勢で、且つ交互に異なるステープル位置に配置して用紙束間で待ちを生じさせなくさせる手法、或いはソーターを具備させたり、プレスタック領域を用意することで連続印刷動作を行う場合と同等な生産性を確保する手法も提案されている。しかしながら、こうした手法の場合には、何れも用紙束に対する所定の配置スペースを確保する必要があったり、或いはソーターを具備させるスペースや用紙束を停止させておくスペースが必要となるため、装置が大型化されてしまう。
【０００５】
このような装置の大型化を回避し、生産性を低下させないための技術的工夫も提案されており、係る周知技術として、搬送開始タイミングを考慮して用紙処理の生産性を上げるようにした「用紙搬送装置、用紙処理装置及び画像形成システム」（特許文献１参照）や、同一の処理トレイ上で同一のステイプラにより端部綴じ処理と中綴じ処理とを行う際、シートサイズに応じて後端規制板の位置を移動させることにより、後端規制板やステイプラの移動による生産性の低下を防ぎ、ハーフサイズ及びサドルモード時のステイプルソートモードでの処理時間を短くした「シート後処理装置」（特許文献２参照）が挙げられる。
【発明の概要】
【発明が解決しようとする課題】
【０００６】
上述した特許文献１に係る技術は、生産性を上げることを目的とし、クリンチャがホームポジションに戻ったか否かをチェックし、ホームポジション戻ったことを検出すると、用紙束（シート束）の搬送を開始（要するに、先行する用紙束のステープル処理が完了する前に次の用紙束のための搬送開始）を行うことで用紙束間の待ち時間を減らし、生産性の低下を抑えられるようにしたものであるが、それでも単純に連続的に印刷動作を行う場合の印刷時間に比べ生産性が低下するという問題は解消できていない。
【０００７】
また、特許文献２に係る技術は、用紙束毎のサイズが異なる場合の生産性の低下を防ぐための効果はあるが、サイズが変化しない場合の同じサイズの用紙束を対象にしたステープル処理（圧着綴じ動作）では効果が無いという問題がある。
【０００８】
本発明は、このような問題点を解決すべくなされたもので、その技術的課題は、装置を大型化させることなく、サイズを問わず用紙束の圧着綴じ動作による生産性の低下を有効に改善できる後処理装置及び画像形成システム、並びに後処理装置用圧着綴じ方法を提供することにある。
【課題を解決するための手段】
【０００９】
上記技術的課題を解決するため、本発明の第１の手段は、用紙が所定枚数重ねられた用紙束を凹凸歯型構造の針無しタイプの綴じ具で挟持して押し付け、圧着するようにして綴じ動作を行う後処理装置において、用紙束の複数部の境目となる最初のページ、最終のページの少なくとも一方の用紙面の圧着綴じ箇所に対して画像処理でトナー画像を形成する画像処理手段と、綴じ具による圧着綴じで一度に纏めて綴じる用紙束の部数に係る用紙綴じ枚数を制御する綴じ枚数制御手段と、トナー画像が形成された用紙束の複数部を用紙綴じ枚数に従って纏めて一度に綴じ具により圧着綴じを行わせ、当該纏めて圧着綴じした当該用紙束の複数部を当該トナー画像箇所で所定枚数の用紙による所定部数の用紙束として分離可能とする圧着綴じ制御手段と、を備えたことを特徴とする。
【００１０】
また、上記技術的課題を解決するため、本発明の第２の手段は、用紙が所定枚数重ねられた用紙束を凹凸歯型構造の針無しタイプの綴じ具で挟持して押し付け、圧着するようにして綴じ動作を行う後処理装置用圧着綴じ方法において、画像処理手段により、用紙束の複数部の境目となる最初のページ、最終のページの少なくとも一方の用紙面の圧着綴じ箇所に対して画像処理でトナー画像を形成する画像処理ステップと、綴じ枚数制御手段により、綴じ具による圧着綴じで一度に纏めて綴じる用紙束の部数に係る用紙綴じ枚数を制御する綴じ枚数制御ステップと、圧着綴じ制御手段により、トナー画像が形成された用紙束の複数部を綴じ枚数制御ステップでの用紙綴じ枚数に従って纏めて一度に綴じ具で圧着綴じを行わせ、当該纏めて圧着綴じした当該用紙束の複数部を当該トナー画像箇所で所定枚数の用紙による所定部数の用紙束として分離可能とする圧着綴じ制御ステップと、を有することを特徴とする。
【発明の効果】
【００１１】
本発明によれば、綴じ具で複数部の用紙束を用紙綴じ枚数に従って纏めて１度に圧着綴じを行った後に所望の枚数の用紙による所望部数の用紙束として容易に分離されるように、予め用紙束の複数部の境目となる最初のページ、最終のページの少なくとも一方の用紙面の圧着綴じ箇所に対してトナー画像を形成し、圧着時の紙同士の繊維接触が阻害され、圧着が弱まる性質を利用して圧着後に剥がれ易くしているため、圧着綴じ動作の回数を極力少なくして効率良く複数部の用紙束を作成することが可能となり、結果として、装置を大型化させることなく、サイズを問わず用紙束の圧着綴じ動作による生産性の低下を有効に改善することができる。
【図面の簡単な説明】
【００１２】
【図１】本発明の後処理装置用圧着綴じ方法の技術的概要を２枚２部の圧着綴じ動作を行う場合について段階別に説明するための模式図であり、（ａ）は用紙束となる４枚の用紙に対する選択的なトナー画像形成段階に関する図、（ｂ）は４枚の用紙を重ねての圧着綴じ段階に関する図、（ｃ）は圧着綴じ後の２枚用紙の用紙束の分離段階に関する模式図である。
【図２】図１（ａ）〜（ｃ）で説明した本発明の後処理装置用圧着綴じ方法を適用した場合の圧着綴じ動作の動作時間を通常の綴じ動作の場合と対比して示した模式図である。
【図３】図１（ａ）〜（ｃ）及び図２で説明した本発明の後処理装置用圧着綴じ方法を適用した後処理装置を備えた実施例に係る画像形成システムの基本構成を示した概略図である。
【図４】図３に示す画像形成システムのプリンタ部におけるハードウェア上の構成を例示したブロック図である。
【図５】図４に示す画像形成システムのプリンタ部のハードウェア上の機能として構成される綴じ制御部に係るブロック図である。
【図６】図５に示す綴じ制御部に含まれる綴じ枚数制御手段による用紙綴じ枚数判断処理の制御に係る動作処理を示したフローチャートである。
【図７】図５に示す綴じ制御部に含まれる圧着綴じ制御手段の制御により綴じ具で圧着綴じ処理された後の綴じられた用紙束を例示した模式図である。
【図８】図５に示す綴じ制御部に含まれる画像処理手段で行うトナー画像の形成を説明するために各ページの用紙イメージを展開して例示した模式図である。
【図９】図５に示す綴じ制御部に含まれる綴じ枚数制御手段による用紙綴じ枚数判断処理の制御に係る異常発生時の動作処理を示したフローチャートである。
【図１０】図９で説明した異常発生時に後処理装置の綴じ箇所に残留している用紙が部の区切り枚数と一致している場合の各ページの用紙イメージを展開して例示した模式図である。
【図１１】図９で説明した異常発生時に後処理装置の綴じ箇所に残留している用紙が部の区切り枚数と一致していない場合の各ページの用紙イメージを展開して例示した模式図である。
【図１２】図８で説明した画像処理手段で行うトナー画像の形成の実施態様を説明するために各ページの用紙イメージを展開して例示した模式図である。
【図１３】図１２で説明したトナー画像の形成を行うための画像形成システムの基本構成を示した概略図である。
【図１４】図８で説明した画像処理手段で行うトナー画像の形成の他の実施態様を説明するためにユーザインターフェースの表示画面上における圧着綴じ箇所に対する色選択データを例示した模式図である。
【図１５】図１４で説明した画像処理手段で行うトナー画像の形成の他の実施態様を説明するために各ページの用紙イメージを展開して例示した模式図である。
【図１６】図８で説明した画像処理手段で行うトナー画像の形成の別の実施態様を説明するために各ページの用紙イメージを展開して例示した模式図である。
【発明を実施するための形態】
【００１３】
以下に、本発明の後処理装置及び画像形成システム、並びに後処理装置用圧着綴じ方法について、実施例を挙げ、図面を参照して詳細に説明する。
【００１４】
最初に、本発明の後処理装置用圧着綴じ方法の技術的概要について、簡単に説明する。本発明の後処理装置用圧着綴じ方法は、用紙が所定枚数重ねられた用紙束を凹凸歯型構造の針無しタイプの綴じ具で挟持して押し付け、圧着するようにして綴じ動作を行う際、画像処理手段により、用紙束の複数部の境目となる最初のページ、最終のページの少なくとも一方の用紙面の圧着綴じ箇所に対して画像処理でトナー画像を形成する画像処理ステップと、綴じ枚数制御手段により、綴じ具による圧着綴じで一度に纏めて綴じる用紙束の部数に係る用紙綴じ枚数を制御する綴じ枚数制御ステップと、圧着綴じ制御手段により、トナー画像が形成された用紙束の複数部を綴じ枚数制御ステップでの用紙綴じ枚数に従って纏めて一度に綴じ具で圧着綴じを行わせ、纏めて圧着綴じした用紙束の複数部をトナー画像箇所で所定枚数の用紙による所定部数の用紙束として分離可能とする圧着綴じ制御ステップと、を有するものである。
【００１５】
図１は、本発明の後処理装置用圧着綴じ方法の技術的概要を２枚２部の圧着綴じ動作を行う場合について段階別に説明するための模式図であり、同図（ａ）は用紙束となる４枚の用紙に対する選択的なトナー画像形成段階に関する図、同図（ｂ）は４枚の用紙を重ねての圧着綴じ段階に関する図、同図（ｃ）は圧着綴じ後の２枚用紙の用紙束の分離段階に関する模式図である。
【００１６】
図１（ａ）を参照すれば、ここでは用紙束となる４枚の用紙のうちの２枚目の裏面と３枚目の表面にトナー画像を付加する様子を示している。このトナー画像形成段階は、上述した画像処理ステップにおける用紙束の複数部の境目となる最初のページ、最終のページの少なくとも一方の用紙面の圧着綴じ箇所に対してトナー画像を形成する旨に対応する。
【００１７】
図１（ｂ）を参照すれば、ここでは４枚の用紙を重ねた用紙束を綴じ具で挟持して押し付け、点線部を圧着するようにして綴じ動作を行った後の様子を示している。この圧着綴じ段階は、上述した圧着綴じ制御ステップにおけるトナー画像が形成された用紙束の複数部を纏めて一度に綴じ具で圧着綴じを行わせる旨に対応する。
【００１８】
図１（ｃ）を参照すれば、ここでは２部となる用紙束を一度に圧着した後、部の境目の圧着部に形成したトナー画像により部の境目の用紙の圧着が阻害され、用紙束が部毎に分離され易くなる（圧着時の紙同士の繊維接触が阻害され、圧着が弱まる性質による）ため、ユーザが用紙束を持ち上げる等の処理を行うことで２枚ずつの２部に分離された様子を示している。この分離段階は、上述した圧着綴じ制御ステップにおける纏めて圧着綴じした用紙束の複数部をトナー画像箇所で所定枚数の用紙による所定部数の用紙束として分離可能とする旨に対応する。これにより、１度の圧着綴じ動作で複数回圧着綴じ動作を施した場合と同じ結果が得られるため、圧着綴じ動作の回数を減らすことができ、その動作が減る分、生産性が改善される。
【００１９】
因みに、上述した綴じ枚数制御ステップは、用紙の重ね枚数には限度（上限）があるため、ジャム等の異常発生が起きない程度に圧着綴じ制御ステップで制御される綴じ具による圧着綴じで一度に纏めて綴じる用紙束の部数に係る用紙綴じ枚数を判断して制御するものである。
【００２０】
図２は、上述した図１（ａ）〜（ｃ）で説明した本発明の後処理装置用圧着綴じ方法を適用した場合の圧着綴じ動作の動作時間を通常の綴じ動作の場合と対比して示した模式図である。
【００２１】
図２を参照すれば、上段に示す通常の綴じ動作では１部目の綴じ動作、２部目の綴じ動作を行わせるために部毎に用紙の出力間隔を空ける必要があり、綴じ動作の総回数分、動作時間を要するものとなっている。これに対し、下段に示す本発明の後処理装置用圧着綴じ方法を適用すれば、１度の圧着綴じ動作で纏めて複数部の用紙束を作成することができるため、通常の綴じ動作と対比すれば１部目の綴じ動作が不要になり、２部目の綴じ動作分だけで済むため、綴じ動作の回数を極力減らして動作時間を短縮できることを示している。
【実施例】
【００２２】
図３は、上述した本発明の後処理装置用圧着綴じ方法を適用した後処理装置２０６を備えた実施例に係る画像形成システムの基本構成を示した概略図である。
【００２３】
図３を参照すれば、この画像形成システムは、用紙面に画像を形成する画像形成装置と、用紙綴じに用いられる後処理装置２０６とにより構成されるもので、図３に示す構成では画像形成装置に対して後処理装置２０６を付設した形態となっている。
【００２４】
このうち、画像形成装置は、原稿（用紙）の画像を読み取る読取装置２０１と、ユーザが装置を操作する操作部２００と、トナー画像を形成して用紙に転写する作像ユニット２０２と、用紙束を保持する用紙トレイ２０３、２０４と、用紙に転写されたトナーを加熱・加圧して用紙に定着させる定着装置２０５と、を備えて構成される。後処理装置２０６は、画像形成装置の用紙出口に設置され、画像を転写した用紙を複数枚保持し、保持した用紙束を揃えて綴じ具２０７で綴じる機能を持つ。綴じ具２０７は、一対の凹凸歯型構造のステイプラで用紙束を狭持することで用紙を変形させ、用紙の繊維を絡めて用紙を綴じる。即ち、ここでの綴じ具２０７は、ステイプラを用紙束に対して挟持して押し付け、用紙束を圧着するようにして綴じ動作を行う針無しタイプの圧着綴じ装置（ステープル装置）として機能するものである。
【００２５】
図４は、上述した画像形成システムのプリンタ部３００におけるハードウェア上の構成を例示したブロック図である。
【００２６】
図４を参照すれば、画像形成を実現するハードウェアであるプリンタ部３００は、ユーザからの印刷指示を受けてプリンタ部３００に対して印刷要求を送るコントローラ３１０との間でバス３２０により接続され、プリンタ部３００内では、コントローラ３１０から入力される画像データの受信及び制御コマンドの送受信制御を含み、プリンタ部３００全体の制御を行うＣＰＵ３０１と、プリンタ部３００の制御プログラムを記憶したＲＯＭ３０３と、ＲＯＭ３０３に記憶されているプログラムを実行する際のワークエリアとなるＲＡＭ３０２と、綴じ具２０７の狭持時間等、プリンタ制御のための制御パラメータを保存する領域となるＮＶＲＡＭ３０４と、コントローラ３１０から画像データを受信して展開し、展開したデータに解像度変換・階調処理・エッジ処理・パターン合成等の画像処理を行う画像処理ＡＳＩＣ３０５と、画像処理ＡＳＩＣ３０５から画像データを受信して感光体に電荷潜像を書き込むレーザーダイオードを制御する書き込み制御ＡＳＩＣ３０６と、後処理装置２０６とのデータの送受信を行うインターフェースである周辺機ＩＦ３０７と、がそれぞれバス３２０により接続されて構成されている。
【００２７】
因みに、ＮＶＲＡＭ３０４は、ＲＡＭ３０２とは異なり、パラメータが不揮発性であり、プリンタ部３００では電源ＯＮ時にＣＰＵ３０１によってＲＡＭ３０２上に係るパラメータが展開される。
【００２８】
図５は、上述した図４に示す画像形成システムのプリンタ部３００のハードウェア上の機能として構成される綴じ制御部に係るブロック図である。
【００２９】
図５を参照すれば、この綴じ制御部は、画像形成装置に搭載された後処理装置２０６のハードウェア上の機能として構成されるもので、機能構成上ではコントローラ３１０からのフルカラー／モノクロといったカラーモード情報や１部毎の印刷枚数等を含む印刷指示を管理して搬送要求を行うと共に、印刷枚数情報を提供する印刷要求管理手段４００と、画像処理ＡＳＩＣ３０５を制御して用紙面への印刷画像に対する画像処理を行うと共に、印刷要求管理手段４００からの印刷枚数情報に含まれる１部毎の印刷枚数情報に基づいて用紙束の複数部の境目となる最初のページ、最終のページの少なくとも一方の用紙面の圧着綴じ箇所に対して画像処理でトナー画像を形成する画像処理手段４０１と、印刷要求管理手段４００からの印刷枚数情報に含まれる１部毎の印刷枚数情報、並びに予め設定されている後処理装置２０６の綴じ可能枚数情報に基づいて、一度に綴じる用紙束の部数における用紙枚数を判断して綴じ枚数情報を提供する綴じ枚数制御手段４０２と、印刷要求管理手段４００からの搬送要求に応じて用紙搬送動作を制御すると共に、綴じ枚数制御手段４０２からの綴じ枚数情報に基づいて綴じ動作のタイミングを判断し、綴じ動作要求を行う搬送制御手段４０４と、搬送制御手段４０４からの綴じ動作要求に応じて後処理装置２０６の綴じ具２０７における圧着綴じ動作を制御する圧着綴じ制御手段４０３と、を備えて構成される。
【００３０】
このうち、綴じ枚数制御手段４０２は、圧着綴じ制御手段４０３で制御される綴じ具２０７による圧着綴じで一度に纏めて綴じる用紙束の部数に係る用紙綴じ枚数を１部毎の印刷枚数情報及び装置の綴じ可能枚数情報に基づいて判断して制御する働きを持つ。また、圧着綴じ制御手段４０３は、トナー画像が形成された用紙束の複数部を用紙綴じ枚数に従って纏めて一度に綴じ具２０７により圧着綴じを行わせると共に、纏めて圧着綴じした用紙束の複数部をトナー画像箇所で所定枚数の用紙による所定部数の用紙束として分離可能とする働きを持つ。
【００３１】
図６は、図５に示す綴じ制御部に含まれる綴じ枚数制御手段４０２による用紙綴じ枚数判断処理の制御に係る動作処理を示したフローチャートである。
【００３２】
図６を参照すれば、用紙綴じ枚数判断処理では、最初に[綴じ枚数]に０を代入する処理（ステップＳ１０１）を行った後、[綴じ枚数]と次ジョブの印刷枚数とを足し合わせ、次ジョブで後処理装置２０６の綴じ可能枚数を超えているか否かの判定（ステップＳ１０２）を行う。この判定の結果、綴じ可能枚数を超えていなければ、[綴じ枚数]と[次ジョブ枚数]とを足し合わせた値を[綴じ枚数]の値とする綴じ枚数更新（ステップＳ１０３）の処理を行ってから次ジョブがあるか否かの判定（ステップＳ１０４）を行う。この判定の結果、次ジョブがあれば次ジョブ判断へ（ステップＳ１０５）進むようにして上述した次ジョブで後処理装置２０６の綴じ可能枚数を超えているか否かの判定（ステップＳ１０２）の前に戻ってそれ以降の処理を繰り返す。これにより、以降にジョブがある場合、次ジョブから新たに綴じ枚数判断を行わせるようにする。
【００３３】
また、先の次ジョブで後処理装置２０６の綴じ可能枚数を超えているか否かの判定（ステップＳ１０２）の結果、綴じ可能枚数を超えている場合と、次ジョブがあるか否かの判定（ステップＳ１０４）の結果、次ジョブがない場合とについては、何れもその後に[綴じ枚数]を搬送制御手段４０４に通知する綴じ枚数通知（ステップＳ１０６）の処理を行ってから動作処理を終了する。
【００３４】
因みに、図６の動作処理は、印刷開始時に複数のジョブの印刷枚数情報を使用して綴じ枚数を判定する場合に適用されるものであるが、その他にもジョブ毎に上述した次ジョブで後処理装置２０６の綴じ可能枚数を超えているか否かの判定（ステップＳ１０２）を導入することで綴じ枚数の判定を行わせることも可能である。
【００３５】
図７は、図５に示す綴じ制御部に含まれる圧着綴じ制御手段４０３の制御により綴じ具２０７で圧着綴じ処理された後の綴じられた用紙束を例示した模式図である。
【００３６】
図７を参照すれば、綴じられた用紙束では、用紙面の内側に所用の印刷画像が印字され、左上隅の綴じ部で綴じられた様子を示している。
【００３７】
図８は、図５に示す綴じ制御部に含まれる画像処理手段４０１で行うトナー画像の形成を説明するために各ページの用紙イメージを展開して例示した模式図である。
【００３８】
図８を参照すれば、ここでは、１部当り４ページの両面印刷（印刷枚数は２枚）の用紙を２部印刷すると共に、後処理装置２０６での綴じ可能枚数が６枚（両面印刷で１２ページ分）である条件を想定しており、この場合にはトナー画像を形成する最初のページ、最終のページは、１部目、２部目の何れについてもそれぞれ１ページ目、４ページ目である。また、ここでは綴じ部として重なる位置に黒色で矩形のトナー画像を付加形成し、両面印刷では表面（奇数ページ）と裏面（偶数ページ）とでトナー画像の形成位置が左右対称となっている様子を示している。更に、両面印刷の場合、４ページの画像形成順は、ｐ.２→ｐ.１→ｐ.４→ｐ.３の順となるため、図８に示されるような順番で画像（トナー画像を含む）が画像処理によって付加（印刷）される。
【００３９】
尚、図８に示す形態ではインターリーフ動作を実施していない。インターリーフ動作を実施すると、画像形成順が異なるが、画像が付加される位置は同一である。その他、片面印刷を行う場合には、部の１ページ目にのみ、上述した画像が付加されることになる。
【００４０】
ところで、上述した綴じ枚数制御手段４０２は、圧着綴じ制御手段４０３の制御により綴じ具２０７で用紙束の複数部を纏めて一度に圧着綴じした状態で異常が発生した場合、異常発生時点の圧着部数を一度に綴じる用紙束の部数として判断する機能を持つことが好ましい。こうした機能を持たせれば、排出可能な用紙束を先に排出しておくことで、異常回復後の用紙束の綴じ回数を減らすことができる。
【００４１】
図９は、綴じ枚数制御手段４０２による用紙綴じ枚数判断処理の制御に係る異常（ジャム）発生時の動作処理を示したフローチャートである。
【００４２】
図９を参照すれば、ここでは画像形成装置の印刷機構内の異常発生として、ジャム発生を検出すると、最初に後処理装置２０６の綴じ箇所に残留している用紙は、部の区切り枚数と一致しているか否かの判定（ステップＳ２０１）を行う。この判定の結果、残留している用紙が部の区切り枚数と一致していれば、綴じ具２０７による綴じ処理（ステップＳ２０２）を実施した後、その時点で綴じられた用紙束を排出する用紙排出（ステップＳ２０３）の処理を行ってからジャム処理待機（ステップＳ２０４）に移行する。また、最初の後処理装置２０６の綴じ箇所に残留している用紙は、部の区切り枚数と一致しているか否かの判定（ステップＳ２０１）の結果、残留している用紙が部の区切り枚数と一致していなければ、そのままジャム処理待機（ステップＳ２０４）に移行する。
【００４３】
因みに、ジャム処理待機の具体的な処理内容は、一般的な画像形成装置におけるジャム発生時の振る舞いと同等に行われるものである。
【００４４】
図１０は、図９で説明した異常（ジャム）発生時に後処理装置２０６の綴じ箇所に残留している用紙が部の区切り枚数と一致している場合の各ページの用紙イメージを展開して例示した模式図である。
【００４５】
図１０を参照すれば、ここでは１部当り４ページの両面印刷（印刷枚数は２枚）の用紙を２部印刷する場合において、２部目の全てのページ（１〜４ページ目）の印刷用紙に対してジャムが発生している様子を示している。こうした場合、綴じ具２０７の位置に到達する印刷用紙は１部目（１〜４ページ目）迄の用紙となり、図９中の判定（ステップＳ２０１）の結果、これらの用紙に対する綴じ処理（Ｓ２０２）が実施される。この結果、ジャムが発生した場合であっても、１部目については通常動作時の場合と同様に綴じ処理を行うことができる。
【００４６】
図１１は、図９で説明した異常（ジャム）発生時に後処理装置２０６の綴じ箇所に残留している用紙が部の区切り枚数と一致していない場合の各ページの用紙イメージを展開して例示した模式図である。
【００４７】
図１１を参照すれば、ここでは１部当り４ページの両面印刷（印刷枚数は２枚）の用紙を２部印刷する場合において、２部目の２枚目（３ページ目、及び４ページ目）の印刷用紙に対してジャムが発生している。こうした場合、綴じ具２０７の位置に到達する印刷用紙は２部目１枚目（１ページ目、及び２ページ目）までの用紙となり、図９中の判定（ステップＳ２０１）の結果、これらの用紙に対する綴じ処理（Ｓ２０２）は実施されない。仮に綴じ動作が実施されてしまった場合、ページ不足となって不完全な２部目が排出されることになる。
【００４８】
更に、上述した画像処理手段４０１で行うトナー画像の形成については、幾つかの実施態様を例示できる。例えばトナー画像を黄色基調にしたり、或いは不可視色基調にする場合を例示できる。トナー画像を黄色基調にした場合には、一般的なフルカラー構成であるＣＭＹＫ（シアン、マゼンダ、イエロー、ブラック）作像系で、白色の用紙上に対して黄色が最も目立ち難く、圧着阻害用の画像を目立たなくして出来上がりの画像に大きな影響が出ないようにすることができる。また、トナー画像を不可視色基調にした場合にも、圧着阻害用の画像を目立たなくし、出来上がりの画像に大きな影響が出ないようにすることができる。
【００４９】
図１２は、図８で説明した画像処理手段４０１で行うトナー画像の形成の実施態様を説明するために各ページの用紙を展開して例示した模式図である。
【００５０】
図１２を参照すれば、ここでは画像処理手段４０１で用紙の綴じ位置に形成するトナー画像の付加手法として、１部目、２部目の１ページ目、４ページ目の綴じ部に対して、画像形成装置で汎用的に使用されるトナー色のうち、最も目立ち難い色である黄色トナーや、或いは一部の光沢出し専用の無色トナーのみを用いてトナー画像を付加する様子を示している。
【００５１】
図１３は、図１２で説明したトナー画像の形成を行うための画像形成システムの基本構成を示した概略図である。ここでは、図３を参照して説明した構成と比べ、作像ユニット２０２において、一般的なＣＭＹＫ４色作像系に加え、無色トナーを供給する無色トナー供給機構２０８を備えた全５色の作像系の構成とした点が相違している。但し、ここでの作像ユニット２０２に係る全５色の作像系の構成については、その他に例えばＫ（黒）色、Ｒ（赤）色の２色の作像系に対して無色トナーを有する構成とする等、総作像の色数が異なる形態にしても良い。
【００５２】
加えて、画像処理手段４０１で行うトナー画像の形成については、ユーザインターフェース（ＵＩ）によりユーザが色選択した任意色基調とすることができる。こうした場合、ユーザによる任意色を選択可能にすることにより、例えば有色紙に対して印刷及び圧着綴じを行う場合に圧着綴じ箇所を色紙と同色にして綴じ箇所の画像を目立たせないようにすることができる。
【００５３】
図１４は、図８で説明した画像処理手段４０１で行うトナー画像の形成の他の実施態様を説明するためにユーザインターフェース（ＵＩ）の表示画面上における圧着綴じ箇所に対する色選択データを例示した模式図である。
【００５４】
図１４を参照すれば、ここでは、コントローラ３１０上のユーザインターフェース（ＵＩ）からユーザ側で任意のマスク色を登録可能なビューを提供し、登録処理されたマスク色情報をＮＶＲＡＭ３０４に保持し、画像処理手段４０１でのトナー画像の形成時に参照して用紙に付加することで綴じ部にユーザが登録した色のトナー画像を形成する様子を示している。但し、ここでのマスク色の情報はＮＶＲＡＭ３０４に保持することを想定しているが、保持する領域はＲＡＭ３０２やＲＯＭ３０３等の他の領域であっても良い。
【００５５】
図１５は、図１４で説明した画像処理手段４０１で行うトナー画像の形成の他の実施態様を説明するために各ページの用紙イメージを展開して例示した模式図である。
【００５６】
図１５を参照すれば、ここでは画像形成装置における印刷用紙は白紙とは限らず、色紙に対する印刷が行われることがある場合を配慮し、こうした場合にユーザが図１４に示した表示画面上で色紙と類似した色をマスク色として設定し、１部目、２部目のそれぞれの１ページ目、４ページ目の綴じ部に対して設定した類似色のトナー画像の形成を行えば、綴じ部に位置に付加されるトナー画像を目立たなくすることができる様子を示している。
【００５７】
その他、画像処理手段４０１で行うトナー画像の形成については、既存のトナー残量検出手段により検出されたトナー残量の最も多い色基調にすることも好ましい。こうした場合には、圧着阻害用に特定トナーだけが使用されることで特定トナー色の消費量だけが多くなって交換時期が早くなることを防ぐことができる。即ち、換言すれば、綴じ部のトナー画像の形成に伴って特定色のトナー消費量に著しく偏りが生じてしまうことを防止でき、結果的に画像形成装置のダウンタイムを低減することが可能になる。
【００５８】
また、画像処理手段４０１で行うトナー画像の形成については、圧着綴じ制御手段４０３による用紙束の複数部の圧着綴じ後の分離を必要としない最初のページ、最終のページの用紙面には形成しないようにすることも好ましい。こうした場合、用紙束の複数部の分離を必要としないページに対してトナー画像を形成付加しないことにより、仕上がり画像に余計な画像を生じさせずに済む他、余計なトナー消費を低減させることができる。
【００５９】
図１６は、図８で説明した画像処理手段４０１で行うトナー画像の形成の別の実施態様を説明するために各ページの用紙イメージを展開して例示した模式図である。
【００６０】
図１６を参照すれば、ここでは綴じ用紙束の最初のページ、最終のページにはトナー画像を形成しないようにするもので、具体的には１部当り４ページの両面印刷（印刷枚数は２枚）の用紙を２部印刷する場合において、１部目１ページ目、２部目４ページ目の印刷用紙に対しては綴じ部が重なる位置に対して矩形のトナー画像を付加せず、１部目４ページ目、２部目１ページ目の綴じ部に対して矩形のトナー画像を形成付加した様子を示している。この結果、部の区切りとなる１枚目４ページ目と２枚目１ページ目とについては上述した原理により１部目とは圧着が阻害された状態で出力が行われる形態となるため、図８で説明した場合よりもより少ないトナー消費量でありながら同等の効果を得ることができる。
【００６１】
以上に説明した実施例に係る後処理装置の圧着綴じ処理は、説明を簡単にするために用紙束の構成で用紙を２部構成とした場合を説明したが、３部構成以上の任意なページ枚数でもあっても適用できるので、本発明は実施例で開示した形態に限定されない。
【符号の説明】
【００６２】
２００  操作部
２０１  読取装置
２０２  作像ユニット
２０３、２０４  用紙トレイ
２０５  定着装置
２０６  後処理装置
２０７  綴じ具
２０８  無色トナー供給機構
３００  プリンタ部
３０１  ＣＰＵ
３０２  ＲＡＭ
３０３  ＲＯＭ
３０４  ＮＶＲＡＭ
３０５  画像処理ＡＳＩＣ
３０６  書き込み制御ＡＳＩＣ
３０７  周辺機ＩＦ
３１０  コントローラ
３２０  バス
４００  印刷要求管理手段
４０１  画像処理手段
４０２  綴じ枚数制御手段
４０３  圧着綴じ制御手段
４０４  搬送制御手段
【先行技術文献】
【特許文献】
【００６３】
【特許文献１】特開２００５−２６３３５６号公報
【特許文献２】特開２００６−３６４８０号公報
【図１】
2015168131.tif 000003
【図２】
2015168131.tif 000004
【図３】
2015168131.tif 000005
【図４】
2015168131.tif 000006
【図５】
2015168131.tif 000007
【図６】
2015168131.tif 000008
【図７】
2015168131.tif 000009
【図８】
2015168131.tif 000010
【図９】
2015168131.tif 000011
【図１０】
2015168131.tif 000012
【図１１】
2015168131.tif 000013
【図１２】
2015168131.tif 000014
【図１３】
2015168131.tif 000015
【図１４】
2015168131.tif 000016
【図１５】
2015168131.tif 000017
【図１６】
2015168131.tif 000018